(57)【特許請求の範囲】
【請求項１】
表示部に対する物体の近接を検出させる近接検出制御手段と、
一定時間前記物体の近接がない場合に、前記表示部の表示状態を、第１の表示状態から第２の表示状態となるように制御し、前記物体の近接が検出されたとき、前記第２の表示状態を前記第１の表示状態に戻す第１制御及び第２制御を行う表示制御手段と
を備え、
前記第１制御において、
前記第１の表示状態は、ユーザの操作に対応する動作を実行可能な定常状態であり、
前記第２の表示状態は、前記定常状態の画面におけるGUI操作ボタンの表示を消去した画面を表示するボタンオフ状態であり、
前記第２制御において、
前記第１の表示状態は、前記定常状態であり、
前記第２の表示状態は、前記定常状態よりも表示輝度を低輝度にした低輝度状態、または、表示を完全にオフした消灯状態である
画像表示制御装置。
【請求項２】
前記表示制御手段は、前記定常状態において一定時間前記物体の近接がない場合に、前記表示部の表示状態を前記低輝度状態となるように制御し、前記低輝度状態においてさらに一定時間前記物体の近接がない場合に、前記表示部の表示状態を前記消灯状態となるように前記第２制御を行う
請求項１に記載の画像表示制御装置。
【請求項３】
前記表示部は撮像装置の一部であり、
前記第１の表示状態は、前記撮像装置が撮影を待機している状態である
請求項１に記載の画像表示制御装置。
【請求項４】
前記近接検出制御手段は、前記物体の近接として、近接によるユーザのジェスチャを検出させ、
前記表示制御手段は、検出された前記近接によるユーザのジェスチャが、予め登録されたジェスチャと同一であるとき、前記第２の表示状態を前記第１の表示状態に戻すように制御する
請求項１に記載の画像表示制御装置。
【請求項５】
前記近接検出制御手段が検出させる前記ジェスチャを登録する登録手段をさらに備える
請求項４に記載の画像表示制御装置。
【請求項６】
前記表示制御手段は、前記近接検出制御手段が前記物体の近接を検出したとき、前記表示部に所定のGUI表示を行う
請求項４に記載の画像表示制御装置。
【請求項７】
前記表示部と、
前記近接検出制御手段の制御により、前記物体の近接を検出する近接検出部と
をさらに備える
請求項１に記載の画像表示制御装置。
【請求項８】
前記表示部に表示された前記GUI操作ボタンへのユーザによる接触の検出に応じて、当該GUI操作ボタンに割り当てられた機能の実行を制御する機能実行制御手段をさらに備える
請求項１に記載の画像表示制御装置。
【請求項９】
表示部に対する物体の近接を検出させ、前記表示部を制御する画像表示制御装置が、
一定時間前記物体の近接がない場合に、前記表示部の表示状態を、第１の表示状態から第２の表示状態となるように制御し、前記物体の近接が検出されたとき、前記第２の表示状態を前記第１の表示状態に戻す第１制御及び第２制御を行うステップを含み、
前記第１制御において、
前記第１の表示状態は、ユーザの操作に対応する動作を実行可能な定常状態であり、
前記第２の表示状態は、前記定常状態の画面におけるGUI操作ボタンの表示を消去した画面を表示するボタンオフ状態であり、
前記第２制御において、
前記第１の表示状態は、前記定常状態であり、
前記第２の表示状態は、前記定常状態よりも表示輝度を低輝度にした低輝度状態、または、表示を完全にオフした消灯状態である
画像表示制御方法。
【発明の詳細な説明】
【技術分野】
【０００１】
本発明は、画像表示制御装置および画像表示制御方法に関し、特に、ユーザにとってより簡単な操作で表示を復帰させることができるようにする画像表示制御装置および画像表示制御方法に関する。
【背景技術】
【０００２】
表示パネルを備える電子機器では、パワーセーブや表示パネルの画素保護などのため、一定時間ユーザが使用しないことを検知して、消灯させたり、低輝度状態にさせる機能を有しているものがある。その場合、例えば、ユーザからのキー操作や表示パネルへのタップなどをトリガとして、表示を復帰させることが行われている。また例えば、予め登録しておいた図形（ジェスチャ）をユーザに入力させ、スクリーンセーバを解除するようなものもある（例えば、特許文献１参照）。
【先行技術文献】
【特許文献】
【０００３】
【特許文献１】特開２００２−８２７３４号公報
【発明の概要】
【発明が解決しようとする課題】
【０００４】
しかしながら、ユーザによる表示パネルへのタップなどをトリガとして表示を復帰する方法では、復帰するために表示パネルを１回タップする操作が必要となる。そして例えば、表示復帰後に行いたい操作が表示パネルに表示された所定の操作ボタンを選択する操作であれば、表示復帰のためのタップと、操作ボタン選択のためのタップの２回の操作（タップ）が必要となり、手数がかかるという問題があった。また、表示復帰の方法がタップ操作であることがわからないユーザには、表示を復帰させることができなかった。
【０００５】
本発明は、このような状況に鑑みてなされたものであり、ユーザにとってより簡単な操作で表示を復帰させることができるようにするものである。
【課題を解決するための手段】
【０００６】
本発明の一側面の画像表示制御装置は、表示部に対する物体の近接を検出させる近接検出制御手段と、一定時間前記物体の近接がない場合に、前記表示部の表示状態を、第１の表示状態から第２の表示状態となるように制御し、前記物体の近接が検出されたとき、前記第２の表示状態を前記第１の表示状態に戻す第１制御及び第２制御を行う表示制御手段とを備え、前記第１制御において、前記第１の表示状態は、ユーザの操作に対応する動作を実行可能な定常状態であり、前記第２の表示状態は、前記定常状態の画面におけるGUI操作ボタンの表示を消去した画面を表示するボタンオフ状態であり、前記第２制御において、前記第１の表示状態は、前記定常状態であり、前記第２の表示状態は、前記定常状態よりも表示輝度を低輝度にした低輝度状態、または、表示を完全にオフした消灯状態である。
【０００７】
本発明の一側面の画像表示制御方法は、表示部に対する物体の近接を検出させ、前記表示部を制御する画像表示制御装置が、一定時間前記物体の近接がない場合に、前記表示部の表示状態を、第１の表示状態から第２の表示状態となるように制御し、前記物体の近接が検出されたとき、前記第２の表示状態を前記第１の表示状態に戻す第１制御及び第２制御を行うステップを含み、前記第１制御において、前記第１の表示状態は、ユーザの操作に対応する動作を実行可能な定常状態であり、前記第２の表示状態は、前記定常状態の画面におけるGUI操作ボタンの表示を消去した画面を表示するボタンオフ状態であり、前記第２制御において、前記第１の表示状態は、前記定常状態であり、前記第２の表示状態は、前記定常状態よりも表示輝度を低輝度にした低輝度状態、または、表示を完全にオフした消灯状態である。
【０００８】
本発明の一側面においては、表示部に対して一定時間、物体の近接がない場合に、表示部の表示状態が、第１の表示状態から第２の表示状態となるように制御され、物体の近接が検出されたとき、第２の表示状態を第１の表示状態に戻すように制御される第１制御及び第２制御が行われる。第１制御において、第１の表示状態は、ユーザの操作に対応する動作を実行可能な定常状態であり、第２の表示状態は、定常状態の画面におけるGUI操作ボタンの表示を消去した画面を表示するボタンオフ状態であり、第２制御において、第１の表示状態は、定常状態であり、第２の表示状態は、定常状態よりも表示輝度を低輝度にした低輝度状態、または、表示を完全にオフした消灯状態である。
【０００９】
画像表示制御装置は、独立した装置であっても良いし、１つの装置を構成している内部ブロックであっても良い。
【発明の効果】
【００１０】
本発明の一側面によれば、ユーザにとってより簡単な操作で表示を復帰させることができる。
【図面の簡単な説明】
【００１１】
【図１】本発明を適用した画像表示制御装置の一実施形態としての撮像装置の構成例を示すブロック図である。
【図２】図１の撮像装置の外観の構成例を示す斜視図である。
【図３】図１の撮像装置の第１の表示制御による画面の表示例を示す図である。
【図４】第１の表示制御の表示変更処理を説明するフローチャートである。
【図５】第１の表示制御の表示復帰処理を説明するフローチャートである。
【図６】図１の撮像装置の第２の表示制御による画面の表示例を示す図である。
【図７】第２の表示制御処理を説明するフローチャートである。
【図８】本発明を適用したコンピュータの一実施の形態の構成例を示すブロック図である。
【発明を実施するための形態】
【００１２】
［撮像装置の構成例］
図１は、本発明を適用した画像表示制御装置の一実施形態としての撮像装置の構成例を示すブロック図である。
【００１３】
図１の撮像装置１は、レンズ部１１乃至RAM２７を含むように構成されている。
【００１４】
レンズ部１１は、撮影レンズ、絞り、フォーカスレンズ等から構成される。レンズ部１１を介して入射する被写体光の光路上には、CCD(Charge Coupled Device)等の撮像素子１２が配置されている。
【００１５】
撮像素子１２、アナログ信号処理部１３、A/D(Analog/Digital)変換部１４、およびデジタル信号処理部１５がその順番で接続されている。
【００１６】
デジタル信号処理部１５にはまた、表示部１７と記録デバイス１９が接続されている。表示部１７の画像表示面にはタッチパネル１６が設けられ、タッチパネル１６と表示部１７とによりタッチスクリーン１８が構成されている。表示部１７は、例えば、液晶ディスプレイ（LCD）等で構成される。
【００１７】
レンズ部１１には、レンズ部１１を構成する絞りの調整や、フォーカスレンズの移動を行うためのアクチュエータ２０が接続されている。アクチュエータ２０には、モータドライバ２１も接続されている。モータドライバ２１は、アクチュエータ２０の駆動制御を行う。
【００１８】
CPU(Central Processing Unit)２３は、撮像装置１全体を制御する。このため、CPU２３には、アナログ信号処理部１３、A/D変換部１４、デジタル信号処理部１５、モータドライバ２１、TG(Timing Generator)２２、操作部２４、EEPROM(Electrically Erasable Programmable ROM)２５、プログラムROM(Read Only Memory)２６、RAM(Random Access Memory)２７、およびタッチパネル１６が接続されている。
【００１９】
タッチパネル１６は、例えば、静電容量方式のタッチパネルであり、ユーザの指によるタッチパネル１６上へのタップ（接触）を検出し、タップされたタッチパネル１６上の位置をCPU２３に出力する。また、タッチパネル１６は、その静電容量の変化（レベル）から、ユーザの指がタッチパネル１６に接触はしてないが、所定の距離内に近づいていること（以下、適宜、近接という。）も検出することができる。タッチパネル１６が近接を検出できる距離は、例えば、画面から約２０mm以内の距離であり、１０mm以内の距離であれば、近接されたタッチパネル１６上の位置も認識できる。なお、タッチパネル１６が接触や近接を検出できる対象は、ユーザの指に限らず、それと同様の導電物体であればよいが、以下では、ユーザの指の検出として説明する。
【００２０】
記録デバイス１９は、例えばDVD(Digital Versatile Disc)等の光ディスクやメモリカード等の半導体メモリその他のリムーバブルな記録媒体で構成されている。記録デバイス１９は、撮像により得られた画像（の信号）を記録する。記録デバイス１９は、撮像装置１本体に対して着脱自在となっている。
【００２１】
EEPROM２５は、設定された各種情報を記憶する。その他の情報、例えば、電源状態がオフにされたときにも保持すべき情報等がEEPROM２５に記憶される。
【００２２】
プログラムROM２６は、CPU２３が実行するプログラムおよびプログラムを実行する上で必要なデータを記憶する。
【００２３】
RAM２７は、CPU２３が各種処理を実行する際のワークエリアとして必要なプログラムやデータを一時記憶する。
【００２４】
以下、図１の構成の撮像装置１全体の動作の概略について説明する。
【００２５】
CPU２３は、プログラムROM２６に記録されているプログラムを実行することにより、撮像装置１を構成する各部を制御する。そして、CPU２３は、タッチパネル１６からの信号や、操作部２４からの信号に応じて、撮像処理、表示部１７への画像の表示制御処理など、所定の処理を実行する。
【００２６】
操作部２４は、ユーザによって操作され、その操作に対応する信号をCPU２３に提供する。操作部２４には、例えば、図２を参照して後述するズームレバー（TELE/WIDE）４１、シャッタボタン４２などが含まれる。
【００２７】
アクチュエータ２０の駆動により、レンズ部１１は、撮像装置１の筐体から露出または収納される。また、アクチュエータ２０の駆動により、レンズ部１１を構成する絞りの調整や、レンズ部１１を構成するフォーカスレンズの移動が行われる。
【００２８】
TG２２は、CPU２３の制御に基づいて、タイミング信号を撮像素子１２に提供する。タイミング信号により、撮像素子１２における露出時間等が制御される。
【００２９】
撮像素子１２は、TG２２から提供されるタイミング信号に基づいて動作することにより、レンズ部１１を介して入射する被写体光を受光して光電変換を行う。そして、撮像素子１２は、受光量に応じたアナログの画像信号をアナログ信号処理部１３に提供する。このとき、モータドライバ２１は、CPU２３の制御に基づいてアクチュエータ２０を駆動する。
【００３０】
アナログ信号処理部１３は、CPU２３の制御に基づいて、撮像素子１２から提供されたアナログの画像信号に対して増幅等のアナログ信号処理を施す。その結果得られるアナログの画像信号は、アナログ信号処理部１３からA/D変換部１４に提供される。
【００３１】
A/D変換部１４は、CPU２３の制御に基づいて、アナログ信号処理部１３からのアナログの画像信号をA/D変換する。その結果得られるデジタルの画像信号は、A/D変換部１４からデジタル信号処理部１５に提供される。
【００３２】
デジタル信号処理部１５は、CPU２３の制御に基づいてA/D変換部１４から提供されたデジタルの画像信号に対して、ノイズ除去処理等のデジタル信号処理を施す。デジタル信号処理部１５は、そのデジタルの画像信号に対応する画像を、表示部１７に表示させる。
【００３３】
また、デジタル信号処理部１５は、A/D変換部１４から提供されたデジタルの画像信号を、例えばJPEG(Joint Photographic Experts Group)等の所定の圧縮符号化方式に従って圧縮符号化する。デジタル信号処理部１５は、圧縮符号化されたデジタルの画像信号を、記録デバイス１９に記録させる。
【００３４】
デジタル信号処理部１５はまた、記録デバイス１９から圧縮符号化されたデジタルの画像信号を読み出し、所定の圧縮符号化方式に対応する伸張復号方式に従って伸張復号する。デジタル信号処理部１５は、そのデジタルの画像信号に対応する画像を表示部１７に表示させる。
【００３５】
その他、デジタル信号処理部１５は、CPU２３の制御に基づいて、AF（auto focus）の機能を発揮させるために用いるAF枠やメニューボタンなどの画像を生成し、表示部１７に表示させる。
【００３６】
撮像素子１２によって撮像された画像は表示部１７に表示される。この場合、表示部１７に表示された画像上にAF枠が設定される。このAF枠の内部の画像に基づいてフォーカスが制御される。
【００３７】
このように、撮像装置１はAF機能を有している。また、撮像装置１は、その他にも、AE（Automatic Exposure）機能、AWB（Auto White Balance）機能を有している。これらの機能は、CPU２３がプログラムROM２６のプログラムを読み出して実行することで実現される。さらにいえば、AF機能、AE機能、およびAWB機能は、撮像装置１が有する機能の例示にしか過ぎない。即ち、撮像装置１は、撮影に関する各種機能を有している。
【００３８】
図２は、図１の撮像装置１の外観の構成例を示す斜視図である。
【００３９】
なお、以下、撮像装置１の面のうち、ユーザが被写体を撮影する場合に被写体と対向する面、即ち、レンズ部１１が配置される面を前面と称する。一方、撮像装置１の面のうち、ユーザが被写体を撮影する場合にユーザと対向する面、即ち、前面の反対側の面を後面と称する。また、撮像装置１の面のうち、ユーザが被写体を撮影する場合に、上側に配置される面を上面と、下側に配置される面を下面と、それぞれ称する。
【００４０】
図２Ａは、撮像装置１の前面の外観の構成例を示す斜視図である。図２Ｂは、撮像装置１の後面の外観の構成例を示す斜視図である。
【００４１】
撮像装置１の前面は、レンズカバー４７で覆うことができる。前面のレンズカバー４７が図中下方に開かれると、図２Ａの状態になる。図２Ａに示されるように、レンズカバー４７の覆いが除かれた前面の上部には、その右方から、レンズ部１１に含まれる撮影レンズ４５とAFイルミネータ４６がその順番で配置されている。
【００４２】
AFイルミネータ４６は、セルフタイマランプを兼ねている。撮像装置１の上面には、図２Ａの左方から、ズームレバー（TELE/WIDE）４１、シャッタボタン４２、再生ボタン４３およびパワーボタン４４がその順番で配置されている。ズームレバー４１、シャッタボタン４２、再生ボタン４３、およびパワーボタン４４は、図１の操作部２４に含まれる。
【００４３】
図２Ｂに示されるように、撮像装置１の後面の全体には、タッチスクリーン１８が配置されている。
【００４４】
タッチスクリーン１８には、被写体を撮影する撮影モードでは、撮像素子１２が捉えた画像が表示され、撮像された画像を表示する再生モードでは、記録デバイス１９に記録されている画像が表示される。またタッチスクリーン１８には、GUI（Graphical User Interface）としての、撮像装置１の各種の設定項目を設定（変更）するためのメニューボタンや、フラッシュモード選択ボタン、セルフタイマーボタン、再生表示ボタンなども表示される。
【００４５】
［画像表示制御の第１の実施の形態］
撮像装置１は、一定時間、ユーザの操作が行われない場合、省電力などのため、タッチスクリーン１８の表示状態を切り替える機能を有している。図３乃至図５を参照して、本発明の画像表示制御の第１の実施の形態としての、撮像装置１（CPU２３）の第１の表示制御について説明する。
【００４６】
［第１の表示制御による画面例］
図３は、撮像装置１の第１の表示制御によりタッチスクリーン１８に表示される画面の表示例を示している。
【００４７】
撮影モードにおいて、ユーザが撮影に関する何らかの操作を撮像装置１に対して行っている場合には、ユーザによる全ての操作に対応する動作を実行可能な定常状態として、図３に示される撮影待機画面P1がタッチスクリーン１８に表示される。撮影待機画面P1では、画面中央に撮像素子１２が捉えた画像が表示され、その両脇の画面左端と画面右端の領域には、メニューボタンや、フラッシュモード選択ボタン、セルフタイマーボタン、再生表示ボタンなど（の画像）が表示されている。以下では、撮影待機画面P1として表示される所定の操作ボタンを総称してGUI操作ボタンという。
【００４８】
撮影待機画面P1が表示部１７に表示されている定常状態において、一定時間、ユーザの操作が行われない場合、撮像装置１は、表示部１７の表示輝度を定常状態よりも低輝度にした低輝度状態に表示状態を変更する。図３に示される低輝度画面P2は、低輝度状態で表示部１７に表示される画面である。低輝度画面P2は、輝度レベルが変更される点以外は撮影待機画面P1と同様である。
【００４９】
表示部１７に低輝度画面P2が表示されている低輝度状態において、ユーザの指の近接が検出されると、撮像装置１は、表示部１７の表示状態を定常状態に変更する。即ち、撮像装置１は、表示部１７の表示を撮影待機画面P1に戻す。
【００５０】
しかし、低輝度状態において、さらに一定時間、ユーザの操作が行われない場合、撮像装置１は、表示部１７の表示を完全にオフする（消灯する）消灯状態に表示状態を変更する。図３の表示オフ画面P3は、消灯状態の表示部１７に表示される画面を示している。
【００５１】
そして、消灯状態において、ユーザの指の近接が検出されると、撮像装置１は、表示部１７の表示状態を定常状態に変更する。即ち、撮像装置１は、表示部１７の表示を撮影待機画面P1に戻す。
【００５２】
［第１の表示制御のフローチャート］
図４は、図３を参照して説明した第１の表示制御のうち、ユーザの操作が行われない場合の処理である表示変更処理を説明するフローチャートである。
【００５３】
初めに、ステップＳ１において、撮像装置１は、ユーザの操作が何ら行われないまま一定時間が経過したかを判定する。ここでのユーザの操作には、タッチパネル１６に対する操作の他、ズームレバー４１やシャッタボタン４２などの操作部２４の操作も含まれる。
【００５４】
ステップＳ１の処理は一定時間が経過したと判定されるまで繰り返され、ステップＳ１で一定時間が経過したと判定された場合、処理がステップＳ２に進められる。
【００５５】
ステップＳ２において、撮像装置１は、表示部１７の現在の表示状態が、定常状態、低輝度状態、または消灯状態のいずれであるかを判定する。
【００５６】
ステップＳ２で、現在の表示状態が定常状態であると判定された場合、処理はステップＳ３に進み、撮像装置１は、表示部１７の表示状態を低輝度状態に変更する。
【００５７】
一方、ステップＳ２で、現在の表示状態が低輝度状態であると判定された場合、処理はステップＳ４に進み、撮像装置１は、表示部１７の表示状態を消灯状態に変更する。
【００５８】
あるいは、ステップＳ２で、現在の表示状態が消灯状態であると判定された場合、処理はそのままステップＳ１に戻る。
【００５９】
以上の表示変更処理が撮像装置１の電源がオフされるまで実行される。
【００６０】
図５は、図３を参照して説明した第１の表示制御のうち、タッチパネル１６への近接を検出して表示状態を定常状態へ復帰する処理である表示復帰処理を説明するフローチャートである。
【００６１】
ステップＳ２１において、撮像装置１は、タッチパネル１６に対するユーザの指の接触または近接を検出したかを判定する。
【００６２】
ユーザの指の接触かまたは近接のいずれかが検出されるまで、ステップＳ２１の処理が繰り返し実行される。そして、ステップＳ２１で、ユーザの指の接触が検出されたと判定された場合、処理はステップＳ２２に進み、撮像装置１は、指の接触に対して予め決定された所定の処理（タップ処理）を実行する。その後、処理はステップＳ２１に戻る。
【００６３】
一方、ステップＳ２１で、ユーザの指の近接が検出されたと判定された場合、処理はステップＳ２３に進み、撮像装置１は、表示部１７の現在の表示状態が、定常状態、低輝度状態、または消灯状態のいずれであるかを判定する。
【００６４】
ステップＳ２３で、現在の表示状態が定常状態であると判定された場合、処理はステップＳ２１に戻る。
【００６５】
一方、ステップＳ２３で、現在の表示状態が、低輝度状態または消灯状態のどちらかであると判定された場合、処理はステップＳ２４に進み、撮像装置１は、表示部１７の表示状態を定常状態に変更する。ステップＳ２４の処理後、処理はステップＳ２１に戻り、それ以降の処理が繰り返される。
【００６６】
以上の表示復帰処理が撮像装置１の電源がオフされるまで実行される。
【００６７】
［画像表示制御の第２の実施の形態］
次に、本発明の画像表示制御の第２の実施の形態としての、撮像装置１（CPU２３）の第２の表示制御について説明する。
【００６８】
［第２の表示制御による画面例］
図６は、撮像装置１の第２の表示制御によりタッチスクリーン１８に表示される画面の表示例を示している。
【００６９】
定常状態では、撮影待機画面P11がタッチスクリーン１８に表示される。撮影待機画面P11は、図３の撮影待機画面P1と同じ画面構成となっている。
【００７０】
撮影待機画面P11がタッチスクリーン１８に表示されている状態で、一定時間、ユーザの操作が行われない場合、撮像装置１は、表示状態を、定常状態からボタンオフ状態に変更する。ボタンオフ状態の表示部１７には、撮影待機画面P11のGUI操作ボタンの表示を消去したボタンオフ画面P12が表示される。
【００７１】
そして、ボタンオフ状態において、タッチパネル１６においてユーザの指の近接が検出されると、撮像装置１は、表示部１７の表示状態を定常状態に変更する。即ち、撮像装置１は、表示部１７の表示を撮影待機画面P11に戻す。
【００７２】
［第２の表示制御のフローチャート］
図７は、図６を参照して説明した第２の表示制御処理を説明するフローチャートである。
【００７３】
初めに、ステップＳ４１において、撮像装置１は、タッチパネル１６に対するユーザの指の接触または近接を検出したかを判定する。
【００７４】
ステップＳ４１で、ユーザの指の接触が検出されたと判定された場合、処理はステップＳ４２に進み、撮像装置１は、指の接触に対して予め決定された所定の処理（タップ処理）を実行して、処理はステップＳ４１に戻る。
【００７５】
一方、ステップＳ４１で、ユーザの指の接触および近接のいずれも検出されていないと判定された場合、処理はステップＳ４３に進み、撮像装置１は、ユーザの操作が何ら行われないまま一定時間が経過したかを判定する。ここでのユーザの操作には、第１の表示制御と同様、操作部２４の操作も含まれる。
【００７６】
ステップＳ４３で、一定時間がまだ経過していないと判定された場合、処理はステップＳ４１に戻り、ステップＳ４１の処理が再度実行される。
【００７７】
一方、ステップＳ４３において、ユーザの操作がないまま一定時間が経過したと判定された場合、処理はステップＳ４４に進み、撮像装置１は、表示部１７の現在の表示状態が、定常状態またはボタンオフ状態のいずれであるかを判定する。
【００７８】
ステップＳ４４で、現在の表示状態がボタンオフ状態であると判定された場合、処理はステップＳ４１に戻る。
【００７９】
一方、ステップＳ４４で、現在の表示状態が定常状態であると判定された場合、処理はステップＳ４５に進み、撮像装置１は、表示部１７の表示状態を、ボタンオフ状態に変更する。即ち、撮像装置１は、撮影待機画面P11から、GUI操作ボタンの表示を消去したボタンオフ画面P12に表示を切り替える。ステップＳ４５の処理後、処理はステップＳ４１に戻り、ステップＳ４１以降の処理が再度実行される。以上のステップＳ４１，Ｓ４３乃至Ｓ４５の処理は、第1の表示制御処理における、ユーザの操作が行われない場合の表示変更処理に相当する。
【００８０】
一方、上述したステップＳ４１で、ユーザの指の近接が検出されたと判定された場合、処理はステップＳ４６に進み、撮像装置１は、表示部１７の現在の表示状態が、定常状態またはボタンオフ状態のいずれであるかを判定する。
【００８１】
ステップＳ４６で、現在の表示状態が定常状態であると判定された場合、処理はステップＳ４１に戻る。
【００８２】
一方、ステップＳ４６で、現在の表示状態がボタンオフ状態であると判定された場合、処理はステップＳ４７に進み、撮像装置１は、表示部１７の表示状態を、定常状態に変更する。即ち、撮像装置１は、GUI操作ボタンの表示を消去したボタンオフ画面P12から、撮影待機画面P11に表示を切り替える。ステップＳ４７の処理後、処理はステップＳ４１に戻り、ステップＳ４１以降の処理が再度実行される。以上のステップＳ４１，Ｓ４６およびＳ４７の処理は、第1の表示制御処理における、ユーザの近接操作を検出して表示状態を定常状態へ復帰する表示復帰処理に相当する。
【００８３】
以上の処理は撮像装置１の電源がオフされるまで実行される。
【００８４】
以上のように、撮像装置１のＣＰＵ２３は、一定時間ユーザの近接操作がない場合に、タッチパネル１６の表示状態を、第１の表示状態から第２の表示状態となるように制御し、ユーザの近接操作が検出されたとき、第２の表示状態を第１の表示状態に戻すように制御する。
【００８５】
上述した第１の実施の形態では、第１の表示状態は定常状態であり、第２の表示状態は低輝度状態または消灯状態である。また、第２の実施の形態では、第１の表示状態は定常状態であり、第２の表示状態はボタンオフ状態である。なお、ユーザの指は、近接を検出する検出対象の代表的な例であり、手のひらやその他の導電物体でもよいことは言うまでもない。
【００８６】
このような撮像装置１の画像表示制御により、ユーザがタッチスクリーン１８に触らなくても近接すれば定常状態に復帰するため、表示復帰の操作がわからないユーザにとって、より分かりやすい表示復帰の操作方法を提供することができる。
【００８７】
また、表示部１７に表示されているGUI操作ボタンを選択する操作であれば、タッチスクリーン１８を接触する操作の途中で必ず近接という状態になる。従って、撮像装置１の画像表示制御によれば、従来、表示復帰のためのタップと、GUI操作ボタン選択のためのタップの２回の操作が１回の操作で済むようになり、操作性が向上する。即ち、ユーザにとってより簡単な操作で表示を復帰させることができる。
【００８８】
また、定常状態に復帰するためタッチスクリーン１８に触らなくても良いので、接触して操作することによる指紋や汚れの付着も防止することができる。
【００８９】
なお、上述した実施の形態では、撮影モードの画面の例で説明したが、再生モードの画面でも同様の表示制御処理が実行される。
【００９０】
［変形例］
本発明の実施の形態は、上述した実施の形態に限定されるものではなく、本発明の要旨を逸脱しない範囲において種々の変更が可能である。
【００９１】
例えば、ユーザの指がタッチパネル１６に近接したときの近接状態（距離）によっては、単にタッチパネル１６に近接したか否かだけでなく、ユーザが近接させた指の画面上の位置（座標）も認識することができる。
【００９２】
そこで、撮像装置１（CPU２３）は、単に（指の）近接の有無だけでなく、近接した指で所定の図形を描くユーザの操作（ジェスチャ）を検出して、検出されたジェスチャが予め登録されているジェスチャと同一であるときに、定常状態に表示復帰するようにしてもよい。単に近接を検出するだけでは、過度の検出となってしまう場合などに有効である。表示復帰の操作として、近接のみを検出するか、近接によるジェスチャを検出するかは、設定により切り替えるようにすることができる。また、検出対象のジェスチャは、撮像装置１に予め登録されているものよいし、ユーザが所望のジェスチャを登録するようにしてもよい。
【００９３】
なお、例えば、表示復帰の操作として近接によるジェスチャを検出する場合に、ユーザが近接によるジェスチャを行っても、消灯状態から表示復帰しないとき、ユーザには、電池切れのための消灯であるのか、ジェスチャが間違いであるのかがわからないという事態も想定される。このような対策として、ユーザの近接を検出した場合に、カーソル（プラスの表示）や「近接検知」の文字などの、所定のGUI表示を行うようにすることができる。これにより、ユーザには、電池切れではなく、ジェスチャが間違いであるため、表示復帰しないことが容易に理解できるようになる。
【００９４】
［コンピュータの構成例］
上述した一連の処理は、ハードウエアにより実行させることもできるが、ソフトウエアにより実行させることができる。
【００９５】
この場合、図１の撮像装置１が実行してもよいことは勿論のこと、その他例えば、図８に示されるパーソナルコンピュータが実行してもよい。
【００９６】
図８において、CPU１０１は、ROM（Read Only Memory）１０２に記録されているプログラム、または記憶部１０８からRAM（Random Access Memory）１０３にロードされたプログラムに従って各種の処理を実行する。RAM１０３にはまた、CPU１０１が各種の処理を実行する上において必要なデータなども適宜記憶される。
【００９７】
CPU１０１、ROM１０２、およびRAM１０３は、バス１０４を介して相互に接続されている。このバス１０４にはまた、入出力インタフェース１０５も接続されている。
【００９８】
入出力インタフェース１０５には、キーボード、マウスなどよりなる入力部１０６、タッチパネルディスプレイ、スピーカなどよりなる出力部１０７、ハードディスクなどより構成される記憶部１０８、モデムおよびターミナルアダプタなどより構成される通信部１０９が接続されている。通信部１０９は、インターネットを含むネットワークを介して他の装置（図示せず）との間で行う通信を制御する。
【００９９】
入出力インタフェース１０５にはまた、必要に応じてドライブ１１０が接続され、磁気ディスク、光ディスク、光磁気ディスク、或いは半導体メモリなどよりなるリムーバブルメディア１１１が適宜装着され、それらから読み出されたコンピュータプログラムが、必要に応じて記憶部１０８にインストールされる。
【０１００】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１０１】
本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０１０２】
以上、本発明が適用された画像表示制御装置により表示が制御される表示部１７としては、例えば、液晶ディスプレイとした。しかし、本発明は、液晶ディスプレイのみならず、次のような表示装置にも適用可能である。即ち、動画像を構成するフレームやフィールドといった単位（以下、かかる単位をコマと称する）毎に表示が指示される表示装置であって、所定時間の間、１コマを構成する複数の画素が表示素子により構成されており、それら表示素子のうちの少なくとも一部の表示を保持させることができる表示装置に適用できる。なお、以下、かかる表示素子をホールド型表示素子と称し、かかるホールド型表示素子により画面が構成される表示装置を、ホールド型表示装置と称する。即ち、液晶表示装置はホールド型表示装置の例示にしか過ぎず、本発明は、ホールド型表示装置全体に適用可能である。
【０１０３】
さらに、本発明は、ホールド型表示装置のみならず、例えば、発光素子として有機ＥＬ(Electro Luminescent)デバイスを用いた平面自発光型の表示装置等にも適用可能である。即ち、本発明は、画像が複数の画素から構成され、その画素を表示する表示素子を含む表示装置全体に適用可能である。なお、かかる表示装置を、画素型表示装置と称する。ここで、画素型表示装置において、１つの画素に１つの表示素子が必ずしも対応付けられている必要は特に無い。
【０１０４】
換言すると、本発明が適用された画像表示制御装置により表示が制御される表示装置は、上述した一連の処理を実行可能とする表示装置であれば足りる。
【０１０５】
また、上述した実施の形態では、表示装置（表示部）を備える撮像装置（例えば、デジタルカメラ）に本発明を適用した場合について説明した。しかし、本発明の画像表示制御は、表示装置を備えるその他の電子機器、例えば、PDA（Personal Digital Assistants）、携帯電話機、携帯型ゲーム機器、携帯型の再生装置やテレビジョン受像機等にも適用可能である。
【符号の説明】
【０１０６】
１  撮像装置，  １６  タッチパネル，  １７  表示部，  １８  タッチスクリーン，  ２３  CPU
【図１】
0005648844.tif 000002
【図２】
0005648844.tif 000003
【図３】
0005648844.tif 000004
【図４】
0005648844.tif 000005
【図５】
0005648844.tif 000006
【図６】
0005648844.tif 000007
【図７】
0005648844.tif 000008
【図８】
0005648844.tif 000009